(57)【要約】【課題】管理グループＡと被管理グループＢ〜Ｄとにグループ分けした無線通信システム１０において、被管理グループ用無線機Ｔｂが支障なく管理グループ用無線機Ｔａを呼出せるようにする。また、Ｔａのチャネルスキャン時間を抑えて節電を図る。【解決手段】仲介無線機ＴｐはＡの管理グループ用データチャネルｆａとは別のチャネルスキャン用データチャネルｆｃｏｎｔでの待ち受け状態に保持される。Ｔｂは自グループの被管理グループ用通話チャネルｆｂによりＴａを呼出す。Ｔｂは、Ｔａが応じなければ、ｆｂからｆｃｏｎｔへ切替えて、ｆｃｏｎｔでチャネルスキャン要求及びＴａのＩＤを送信する。ｆｃｏｎｔは、チャネルスキャン要求を受信すると、ｆｃｏｎｔからｆａへ切替えて、ｆａでＴａを宛て先とするチャネルスキャン要求を送信する。Ｔａは、ｆａでチャネルスキャン要求を受信すると、チャネルスキャンを実施する。ＴｂはｆｂでＴａを再度呼出す。【選択図】図１
2009130515.tif 000002
【特許請求の範囲】
【請求項１】
管理グループ用データチャネルとは別に割り当てられているチャネルスキャン用データチャネルにより被管理グループ用無線機からの所定の管理グループ用無線機に対するチャネルスキャン要求を受信するチャネルスキャン用データチャネル受信手段、及び
チャネルスキャン要求を受信すると、管理グループ用データチャネルにより前記管理グループ用無線機へチャネルスキャン要求を送信する管理グループ用データチャネル送信手段、
を備えることを特徴とするチャネルスキャン仲介無線機。
【請求項２】
前記管理グループ用無線機へのチャネルスキャン要求の送信後、前記管理グループ用データチャネルにより該管理グループ用無線機からのチャネルスキャン開始情報を受信する管理グループ用データチャネル受信手段、及び
チャネルスキャン開始情報を受信すると、前記チャネルスキャン用データチャネルによりチャネルスキャン開始情報を送信するチャネルスキャン用データチャネル送信手段、
を備えることを特徴とする請求項１記載のチャネルスキャン仲介無線機。
【請求項３】
前記チャネルスキャン用データチャネルにより前記被管理グループ用無線機から前記管理グループ用無線機に対するチャネルスキャン解除要求を受信する前記チャネルスキャン用データチャネル受信手段、及び
チャネルスキャン解除要求を受信すると、前記管理グループ用データチャネルにより前記管理グループ用無線機へチャネルスキャン解除要求を送信する前記管理グループ用データチャネル送信手段、
を備えることを特徴とする請求項１又は２記載のチャネルスキャン仲介無線機。
【請求項４】
管理グループ用データチャネルにより自機宛てのチャネルスキャン要求を受信する管理グループ用データチャネル受信手段、及び
自機宛てのチャネルスキャン要求を受信すると被管理グループ用通話チャネルのスキャンを実施するチャネルスキャン制御手段、
を備えることを特徴とする管理グループ用無線機。
【請求項５】
自機宛てのチャネルスキャン要求を受信するとチャネルスキャン開始情報を前記管理グループ用データチャネルにより送信する管理グループ用データチャネル送信手段、
を備えることを特徴とする請求項４記載の管理グループ用無線機。
【請求項６】
管理グループ用データチャネルにより自機宛てのチャネルスキャン解除要求を受信する前記管理グループ用データチャネル受信手段、及び
自機宛てのチャネルスキャン解除要求を受信すると被管理グループ用通話チャネルのチャネルスキャンを終了する前記チャネルスキャン制御手段、
を備えることを特徴とする請求項４又は５記載の管理グループ用無線機。
【請求項７】
チャネルスキャン用データチャネルにより通話相手先の管理グループ用無線機のチャネルスキャンを要求するチャネルスキャン要求手段、
該管理グループ用無線機のチャネルスキャンを要求した後、自機グループの被管理グループ用通話チャネルにより前記管理グループ用無線機を呼出す呼出し手段、
を備えることを特徴とする被管理グループ用無線機。
【請求項８】
前記呼出し手段は、前記チャネルスキャン要求手段によるチャネルスキャンの要求に先立ち、自機グループの被管理グループ用通話チャネルにより前記管理グループ用無線機を呼出し、
前記チャネルスキャン要求手段は、前記管理グループ用無線機が自機グループの被管理グループ用通話チャネルにおける呼出しに応答しない場合には、チャネルスキャンを要求することを特徴とする請求項７記載の被管理グループ用無線機。
【請求項９】
前記呼出し手段は、前記管理グループ用無線機のチャネルスキャンを要求した後、前記チャネルスキャン用データチャネルにより前記管理グループ用無線機のチャネルスキャンの開始の情報を受信してから、自機グループの被管理グループ用通話チャネルにより前記管理グループ用無線機を呼出すことを特徴とする請求項７又は８記載の被管理グループ用無線機。
【請求項１０】
前記管理グループ用無線機との通話が終了すると、前記チャネルスキャン用データチャネルにより該管理グループ用無線機に対するチャネルスキャン解除要求を送信するチャネルスキャン解除要求手段、
を備えることを特徴とする請求項７〜９のいずれかに記載の被管理グループ用無線機。
【請求項１１】
請求項１〜３のいずれかに記載のチャネルスキャン仲介無線機と、請求項４〜６のいずれかに記載の管理グループ用無線機と、請求項７〜１０のいずれかに記載の被管理グループ用無線機とを備えることを特徴とする無線通信システム。
【請求項１２】
管理グループに属する唯一の管理グループ用無線機において、
定期的に受信を監視するように設定されているチャネルスキャン用データチャネルにより被管理グループ用無線機からチャネルスキャン要求を受信するチャネルスキャン用データチャネル受信手段、及び
チャネルスキャン要求を受信すると被管理グループ用通話チャネルのスキャンを実施するチャネルスキャン制御手段、
を備えることを特徴とする管理グループ用無線機。
【請求項１３】
前記チャネルスキャン用データチャネル受信手段は、チャネルスキャン要求と共にチャネルスキャン要求元の所属グループのＩＤ情報を受信し、
前記チャネルスキャン制御手段は、受信した前記ＩＤ情報に対応する被管理グループ用通話チャネルを登録し、登録済みの被管理グループ用通話チャネルについてチャネルスキャンを実施することを特徴とする請求項１２記載の管理グループ用無線機。
【請求項１４】
前記チャネルスキャン用データチャネル受信手段における前記チャネルスキャン要求情報の受信後、チャネルスキャン開始情報を前記チャネルスキャン用データチャネルにより送信するチャネルスキャン用データチャネル送信手段、
を備えることを特徴とする請求項１２又は１３記載の管理グループ用無線機。
【請求項１５】
チャネルスキャン用データチャネルにより通話相手先の管理グループ用無線機に対するチャネルスキャン要求と自機グループのＩＤ情報とを送信するチャネルスキャン要求手段、
前記チャネルスキャン要求と前記ＩＤ情報とを送信した後、前記チャネルスキャン用データチャネルにより自機グループの被管理グループ用通話チャネルが前記管理グループ用無線機のチャネルスキャン対象の被管理グループ用通話チャネルとして登録されてチャネルスキャン開始した旨のチャネルスキャン開始情報を受信するチャネルスキャン開始情報受信手段、及び
前記チャネルスキャン開始情報の受信後、自機グループの被管理グループ用通話チャネルにより前記管理グループ用無線機を呼出す呼出し手段、
を備えることを特徴とする被管理グループ用無線機。
【請求項１６】
前記チャネルスキャン開始情報は前記ＩＤ情報であることを特徴とする請求項１５記載の被管理グループ用無線機。
【請求項１７】
請求項１２〜１４のいずれかに記載の管理グループ用無線機と請求項１５又は１６記載の被管理グループ用無線機とを備えることを特徴とする無線通信システム。
【請求項１８】
被管理グループ用無線機が該被管理グループ用無線機のグループの被管理グループ用通話チャネルにより所定の管理グループ用無線機を呼出して該管理グループ用無線機が応答するか否かの応答判定を実施するステップ、
前記応答判定が否であるならば、管理グループ用データチャネルとは別に割り当てられているチャネルスキャン用データチャネルにより前記被管理グループ用無線機に前記管理グループ用無線機に対するチャネルスキャン要求を送信させるステップ、
チャネルスキャン仲介無線機を前記チャネルスキャン用データチャネルの待受け状態に保持して前記チャネルスキャン仲介無線機に前記管理グループ用無線機に対する前記チャネルスキャン要求を受信させるステップ、
前記チャネルスキャン仲介無線機が前記チャネルスキャン要求を受信すると、管理グループ用データチャネルにより前記チャネルスキャン仲介無線機に前記管理グループ用無線機に対する前記チャネルスキャン要求を送信させるステップ、
前記管理グループ用無線機を前記管理グループ用データチャネルの待受け状態に保持して、前記管理グループ用無線機に自機に対する前記チャネルスキャン要求を受信させるステップ、
前記管理グループ用無線機が自機に対する前記チャネルスキャン要求を受信したならば、前記管理グループ用無線機に、被管理グループ用通話チャネルについてのチャネルスキャンを実施させるステップ、
を備えることを特徴とする無線通信システム制御方法。
【請求項１９】
管理グループに所属する管理グループ用無線機は唯一である無線通信システム制御方法において、
被管理グループ用無線機が該被管理グループ用無線機のグループの被管理グループ用通話チャネルにより前記管理グループ用無線機を呼出して該管理グループ用無線機が応答するか否かの応答判定を実施するステップ、
前記応答判定が否であるならば、チャネルスキャン用データチャネルにより前記被管理グループ用無線機にチャネルスキャン要求を送信させるステップ、
前記チャネルスキャン用データチャネルが定期的に受信を監視するチャネルとして予め設定されている前記管理グループ用無線機に、前記チャネルスキャン要求を受信させるステップ、及び
前記管理グループ用無線機が前記チャネルスキャン用データチャネルにより前記チャネルスキャン要求を受信したならば、前記管理グループ用無線機に被管理グループ用通話チャネルについてのチャネルスキャンを実施させるステップ、
を備えることを特徴とする無線通信システム制御方法。
【発明の詳細な説明】
【技術分野】
【０００１】
本発明は、管理グループ及び被管理グループの無線機を含む無線通信システムにおけるチャネルスキャン仲介無線機、管理グループ用無線機、被管理グループ用無線機、無線通信システム及びその制御方法に関するものである。
【背景技術】
【０００２】
特許文献１は、無線機における個別呼出し、グループ呼出し及び一斉呼出しを開示する（特許文献１の図５のＳ１７，Ｓ１９，Ｓ２１）。特許文献１の無線通信システムでは、個別呼出し、グループ呼出し及び一斉呼出しに対して、予め所定の番号が割り振られ、各無線機は、呼出し信号に含まれる番号に基づき個別呼出し、グループ呼出し及び一斉呼出しを識別するようになっている（特許文献１の段落０００４及び図２のＳ３１，Ｓ３２）。
【０００３】
図７は従来の無線通信システム１５０における呼出し処理の説明図である。無線通信システム１５０において、後述の図１の要素等と対応する要素等については、図１の要素等に付した符号と同一の符号を付して、詳細な説明は省略し、主要点についてのみ説明する。無線通信システム１５０の無線機は、１つの管理グループＡと３つの被管理グループＢ〜Ｄとにグループ分けされている。管理グループ用データチャネルｆａは、管理グループＡに割当てられたデータチャネルである。被管理グループ用通話チャネルｆｂ〜ｆｄは、それぞれ被管理グループＢ〜Ｄに割当てられた通話チャネルである。
【０００４】
管理グループＡの各無線機Ｔａは、被管理グループＢ〜Ｄに係る被管理グループ用通話チャネルｆｂ〜ｆｄをメモリに登録されている。被管理グループＢ〜Ｄの各無線機Ｔｂ〜Ｔｄは、自機グループに割り当てられた被管理グループ用通話チャネルｆｂ〜ｆｄをそれぞれメモリに登録されているのみであり、異なる被管理グループ間の無線機同士は原則、通話不能である。被管理グループＢ〜Ｄの各無線機Ｔｂ〜Ｔｄは、また、それぞれの被管理グループ用通話チャネルｆｂ〜ｆｄを使用して、管理グループＡの任意の無線機Ｔａと通話可能になっている。
【特許文献１】特開２０００−３１５９７９号公報
【発明の開示】
【発明が解決しようとする課題】
【０００５】
例えば、無線機Ｔｂが管理グループＡの任意の無線機Ｔａを呼出して通話しようとする場合、該無線機Ｔａが被管理グループ用通話チャネルｆｂで待受け状態になっていたり、被管理グループ用通話チャネルｆｂ〜ｆｄのチャネルスキャン状態になっている場合には、該無線機Ｔａは、無線機Ｔｂからの呼出しに応じて、無線機Ｔｂからの呼出しに応答することができる。しかし、無線機Ｔａが、無線機Ｔｂからの呼出し時に、被管理グループ用通話チャネルｆｂでの待受け状態になかったり、被管理グループ用通話チャネルｆｂ〜ｆｄのチャネルスキャン状態になかったりした場合には、該無線機Ｔａは、非通話中も無線機Ｔｂからの呼出しに応答することはできない。
【０００６】
このことは、無線機Ｔａが無線機Ｔｂから直接呼出される場合だけでなく、レピーター１５１の中継を介して無線機Ｔｂからの呼出しを受ける場合についても同様である。さらに、無線機Ｔｃ，Ｔｄからの呼出しの場合も、無線機Ｔｂの場合と同様である。また、チャネルスキャン期間は電力消費量が多く、無線機Ｔａをチャネルスキャン状態に常時保持することは、無線機Ｔａが被管理グループの無線機からの呼出しを速やかに受けることができる反面、無線機Ｔａのバッテリ切れを早めてしまう。
【０００７】
特許文献１の無線通信システムは、グループ呼出しについては言及するものの、呼出し時に、呼出し先の無線機が、別のチャネルで待受け状態になっていたり、チャネルスキャン状態に無かったりした場合に、呼出し先の無線機に応答させる手立てについて開示していない。
【０００８】
本発明の目的は、管理グループの無線機が被管理グループに割り当てられている通話チャネルの待受け状態になかったり、チャネルスキャン状態になかったりしていても、被管理グループの無線機からの通話呼出しに速やかに応答できるようにしたチャネルスキャン仲介無線機、管理グループ用無線機、被管理グループ用無線機、無線通信システム及び制御方法を提供することである。
【課題を解決するための手段】
【０００９】
本発明によれば、チャネルスキャン用データチャネルが管理グループ用データチャネルとは別に割当てられ、チャネルスキャン仲介無線機はチャネルスキャン用データチャネルでの待受け状態に保持される。被管理グループ用無線機は、チャネルスキャン用データチャネルにより所定の管理グループ用無線機に対するチャネルスキャン要求を送信することにより、チャネルスキャン仲介無線機は、直ちにこれを受信して、次に、管理グループ用データチャネルを使って、それで待受け状態になっている管理グループ用無線機へチャネルスキャン要求を送信する。管理グループ用無線機は、チャネルスキャン要求を受信すると、チャネルスキャン状態へ切替わり、被管理グループ用無線機からの被管理グループ用通話チャネルによる呼出しに応じる。
【００１０】
管理グループ用無線機が唯一である場合には、チャネルスキャン仲介無線機を省略して、管理グループ用無線機がチャネルスキャン用データチャネルによるチャネルスキャン要求の受信に対応する。管理グループ用無線機は、チャネルスキャン用データチャネルをプライオリティチャネル等の定期的に受信を監視するチャネルに設定しており、チャネルスキャン用データチャネルによる被管理グループ用無線機からのチャネルスキャン要求の受信があると、チャネルスキャン状態へ速やかに切替わって、被管理グループ用無線機からの被管理グループ用通話チャネルによる呼出しに応じる。
【００１１】
本発明のチャネルスキャン仲介無線機付き無線通信システムは次のチャネルスキャン仲介無線機、管理グループ用無線機、及び被管理グループ用無線機を備える。
【００１２】
チャネルスキャン仲介無線機は次のものを備えている。
管理グループ用データチャネルとは別に割り当てられているチャネルスキャン用データチャネルにより被管理グループ用無線機からの所定の管理グループ用無線機に対するチャネルスキャン要求を受信するチャネルスキャン用データチャネル受信手段、及び
チャネルスキャン要求を受信すると、管理グループ用データチャネルにより前記管理グループ用無線機へチャネルスキャン要求を送信する管理グループ用データチャネル送信手段。
【００１３】
管理グループ用無線機は次のものを備えている。
管理グループ用データチャネルにより自機宛てのチャネルスキャン要求を受信する管理グループ用データチャネル受信手段、及び
自機宛てのチャネルスキャン要求を受信すると被管理グループ用通話チャネルのスキャンを実施するチャネルスキャン制御手段、
を備えることを特徴とする管理グループ用無線機。
【００１４】
被管理グループ用無線機は次のものを備えている。
チャネルスキャン用データチャネルにより通話相手先の管理グループ用無線機のチャネルスキャンを要求するチャネルスキャン要求手段、
該管理グループ用無線機のチャネルスキャンを要求した後、自機グループの被管理グループ用通話チャネルにより前記管理グループ用無線機を呼出す呼出し手段。
【００１５】
本発明のチャネルスキャン仲介無線機無し無線通信システムは次の管理グループ用無線機、及び被管理グループ用無線機を備える。
【００１６】
管理グループ用無線機は、管理グループに属する唯一の無線機であり、次のものを備えている。
定期的に受信を監視するように設定されているチャネルスキャン用データチャネルにより被管理グループ用無線機からチャネルスキャン要求を受信するチャネルスキャン用データチャネル受信手段、及び
チャネルスキャン要求を受信すると被管理グループ用通話チャネルのスキャンを実施するチャネルスキャン制御手段。
【００１７】
被管理グループ用無線機は次のものを備えている。
チャネルスキャン用データチャネルにより通話相手先の管理グループ用無線機に対するチャネルスキャン要求と自機グループのＩＤ情報とを送信するチャネルスキャン要求手段、
前記チャネルスキャン要求と前記ＩＤ情報とを送信した後、前記チャネルスキャン用データチャネルにより自機グループの被管理グループ用通話チャネルが前記管理グループ用無線機のチャネルスキャン対象の被管理グループ用通話チャネルとして登録されてチャネルスキャン開始した旨のチャネルスキャン開始情報を受信するチャネルスキャン開始情報受信手段、及び
前記チャネルスキャン開始情報の受信後、自機グループの被管理グループ用通話チャネルにより前記管理グループ用無線機を呼出す呼出し手段。
【００１８】
本発明のチャネルスキャン仲介無線機付き無線通信システムの制御方法は次のステップを備えている。
被管理グループ用無線機が該被管理グループ用無線機のグループの被管理グループ用通話チャネルにより所定の管理グループ用無線機を呼出して該管理グループ用無線機が応答するか否かの応答判定を実施するステップ、
前記応答判定が否であるならば、管理グループ用データチャネルとは別に割り当てられているチャネルスキャン用データチャネルにより前記被管理グループ用無線機に前記管理グループ用無線機に対するチャネルスキャン要求を送信させるステップ、
チャネルスキャン仲介無線機を前記チャネルスキャン用データチャネルの待受け状態に保持して前記チャネルスキャン仲介無線機に前記管理グループ用無線機に対する前記チャネルスキャン要求を受信させるステップ、
前記チャネルスキャン仲介無線機が前記チャネルスキャン要求を受信すると、管理グループ用データチャネルにより前記チャネルスキャン仲介無線機に前記管理グループ用無線機に対する前記チャネルスキャン要求を送信させるステップ、
前記管理グループ用無線機を前記管理グループ用データチャネルの待受け状態に保持して、前記管理グループ用無線機に自機に対する前記チャネルスキャン要求を受信させるステップ、
前記管理グループ用無線機が自機に対する前記チャネルスキャン要求を受信したならば、前記管理グループ用無線機に、被管理グループ用通話チャネルについてのチャネルスキャンを実施させるステップ。
【００１９】
本発明のチャネルスキャン仲介無線機無し無線通信システムの制御方法は、管理グループに所属する管理グループ用無線機が唯一となっており、次のステップを備えている。
被管理グループ用無線機が該被管理グループ用無線機のグループの被管理グループ用通話チャネルにより前記管理グループ用無線機を呼出して該管理グループ用無線機が応答するか否かの応答判定を実施するステップ、
前記応答判定が否であるならば、チャネルスキャン用データチャネルにより前記被管理グループ用無線機にチャネルスキャン要求を送信させるステップ、
前記チャネルスキャン用データチャネルが定期的に受信を監視するチャネルとして予め設定されている前記管理グループ用無線機に、前記チャネルスキャン要求を受信させるステップ、及び
前記管理グループ用無線機が前記チャネルスキャン用データチャネルにより前記チャネルスキャン要求を受信したならば、前記管理グループ用無線機に被管理グループ用通話チャネルについてのチャネルスキャンを実施させるステップ。
【発明の効果】
【００２０】
本発明によれば、被管理グループ用無線機が管理グループ用無線機に対してチャネルスキャン要求を送るチャネルスキャン用データチャネルが設定されて、該チャネルスキャン用データチャネルがチャネルスキャン仲介無線機又は管理グループ用無線機により速やかに受信し得る状態に保持されているので、被管理グループ用無線機がチャネルスキャン用データチャネルにより管理グループ用無線機に対してチャネルスキャン要求を送ることにより、管理グループ用無線機は、チャネルスキャン状態に切替わり、被管理グループ用無線機からのその管理グループ用データチャネルによる呼出しに速やかに応答することができる。また、これにより、管理グループ用無線機は、常時チャネルスキャン状態に維持されている必要がなくなるので、管理グループ用無線機の消費電力を低減させることができる。本発明によれば、大掛かりとなるレピーターの設置を省略して、被管理グループ用無線機からの呼出しに対する管理グループ用無線機の迅速な応答を補償することができる。
【発明を実施するための最良の形態】
【００２１】
図１は複数管理者型無線通信システム１０における呼出し処理の説明図である。複数管理者型無線通信システム１０は、１つの管理グループＡと３つの被管理グループＢ〜Ｄとにグループ分けされている。図１において被管理グループの個数が３であるのは、説明及び図示の便宜のためであり、実際の複数管理者型無線通信システム１０では、被管理グループの個数は任意である。
【００２２】
管理グループＡには、１つの無線機Ｔｐと１以上の無線機Ｔａとが属している。以下、図１において、無線機Ｔｐ，Ｔａをそれぞれ「親機Ｔｐ」及び「子機Ｔａ」と呼ぶことにする。被管理グループＢ〜Ｄの各グループには、それぞれ１以上の無線機Ｔｂ〜Ｔｄがそれぞれ属している。なお、図１では、図示の簡略化上、Ｔａ〜Ｔｄはそれぞれ１つのみ示し、他は省略している。
【００２３】
管理グループ用データチャネルｆａは、管理グループＡに割当てられたデータチャネル（通話チャネルではなく、データチャネルであることに注意されたい。）である。被管理グループ用通話チャネルｆｂ〜ｆｄは、それぞれ被管理グループＢ〜Ｄに割当てられた通話チャネルである。管理グループＡの子機Ｔａ同士の通話は、管理グループ用データチャネルｆａとは別に管理グループＡに割当てられている通話チャネルｆａ'（図示せず）により行なわれるようになっている。被管理グループＢ〜Ｄの各無線機Ｔｂ〜Ｔｄは、同一グループ内の他の無線機とはそれぞれ被管理グループ用通話チャネルｆｂ〜ｆｄを使って通話自在になっている。これら通話には、個別呼出し、グループ呼出し及び一斉呼出しの通話が含まれる。
【００２４】
管理グループＡの各子機Ｔａは、通常、管理グループ用データチャネルｆａで待受け状態になっている。また、各子機Ｔａは、被管理グループＢ〜Ｄの被管理グループ用通話チャネルｆｂ〜ｆｄをメモリに登録されている。被管理グループＢ〜Ｄの各無線機Ｔｂ〜Ｔｄは、自機グループに割り当てられた被管理グループ用通話チャネルｆｂ〜ｆｄをそれぞれメモリに登録されているのみであり、他の被管理グループ用通話チャネルはメモリに登録されず、異なる被管理グループ間の無線機同士は原則通話不能に設定される。被管理グループＢ〜Ｄの各無線機Ｔｂ〜Ｔｄは、また、それぞれの被管理グループ用通話チャネルｆｂ〜ｆｄを使用して、管理グループＡの任意の子機Ｔａと通話可能になっている。
【００２５】
親機Ｔｐは、データチャネルとして管理グループ用データチャネルｆａとチャネルスキャン用データチャネルｆｃｏｎｔ（ｆｃｏｎｔ≠ｆａ）とをメモリに登録され、常時はチャネルスキャン用データチャネルｆｃｏｎｔで待受け状態になっている。無線機Ｔｂ〜Ｔｄも、チャネルスキャン用データチャネルｆｃｏｎｔをメモリに設定され、チャネルスキャン用データチャネルｆｃｏｎｔによりデータを送受自在になっている。なお、無線機Ｔｂ〜Ｔｄに管理グループ用データチャネルｆａを使わせない理由は、管理グループ用データチャネルｆａは、管理グループＡ専用に設定されて、管理グループＡ内でのみ使用させようとするものであり、もし、無線機Ｔｂ〜Ｔｄにも管理グループ用データチャネルｆａを使用できるようにすると、管理上の支障が生じるからである。
【００２６】
Ｔａ〜Ｔｄは所定のユーザに携帯されるが、親機Ｔｐは、携帯されてもよいし、定置されてもよい。親機Ｔｐを定置する場合には、商用電源からの電力を常時使用できるようにしておき、親機Ｔｐが電力切れに因りダウンすることを防止するのが有益である。
【００２７】
各子機Ｔａは、非通話中は、管理グループ用データチャネルｆａで待受け状態になっている。親機Ｔｐは、子機Ｔａとのデータ通信時以外はチャネルスキャン用データチャネルｆｃｏｎｔで待受け状態になっている。複数管理者型無線通信システム１０の作用を処理の順番に説明する。説明の便宜上、無線機Ｔｂを携帯するユーザが所定の子機Ｔａのユーザと通話し、終了する場合を想定する。なお、無線機Ｔｃ，Ｔｄが子機Ｔａと通話する場合も無線機Ｔｂの場合と同様である。
【００２８】
最初に、無線機Ｔｂは、それが属している被管理グループＢに割当てられている被管理グループ用通話チャネルｆｂにより該子機Ｔａを呼出す。子機Ｔａが、被管理グループ用通話チャネルｆｂでちょうど待受け状態にあったり、ｆａ→ｆｂ→ｆｃ→ｆｄ→ｆａ→ｆｂ→・・・のサイクリックのチャネルスキャン状態にあったりする場合には、子機Ｔａは直ちに無線機Ｔｂからの呼出しに応答する。しかしながら、子機Ｔａは、非通話中は、通常、管理グループ用データチャネルｆａでの待受け状態にあり、無線機Ｔｂからの呼出しに応答しない。
【００２９】
無線機Ｔｂは、子機Ｔａが自機グループの被管理グループ用通話チャネルにおける呼出しに応答しないと判断すると、通信チャネルを被管理グループ用通話チャネルｆｂからチャネルスキャン用データチャネルｆｃｏｎｔへ切替える。そして、チャネルスキャン用データチャネルｆｃｏｎｔにより子機Ｔａに対するチャネルスキャン要求コードを送信する。該チャネルスキャン要求コードと共に、無線機Ｔｂが通話希望している相手の子機ＴａのＩＤ（識別子）も送信される。
【００３０】
さらに、チャネルスキャン要求元の無線機ＴｂのＩＤも一緒に送信してもよい。チャネルスキャン要求元の無線機ＴｂのＩＤも一緒に送信した場合には、後で、子機Ｔａから、チャネルスキャン開始情報を親機Ｔｐ経由で無線機Ｔｂへ返す場合に、無線機ＴｂのＩＤをチャネルスキャン開始情報にすれば、無線機Ｔｂが他機ではなく自分のチャネルスキャン要求が子機Ｔａに受付けられたことを確認し易い利点がある。無線機Ｔｂは、チャネルスキャン要求コードを送信した後、チャネルスキャン用データチャネルｆｃｏｎｔの受信モードになる。
【００３１】
親機Ｔｐはチャネルスキャン用データチャネルｆｃｏｎｔでの待受け状態にあるので、チャネルスキャン要求コードを受信する。次に、親機Ｔｐは、チャネルスキャン用データチャネルｆｃｏｎｔの受信モードから管理グループ用データチャネルｆａの送信モードへ切替わって、管理グループ用データチャネルｆａにより、チャネルスキャン要求コードと共に受信したＩＤを宛て先としてチャネルスキャン要求コードを送信する。親機Ｔｐは、管理グループ用データチャネルｆａでのチャネルスキャン要求コードの送信を終了しだい、管理グループ用データチャネルｆａの送信モードから管理グループ用データチャネルｆａの受信モードへ切り替わる。
【００３２】
各子機Ｔａは、管理グループ用データチャネルｆａでの待受け状態にあるので、各子機Ｔａは、親機Ｔｐからチャネルスキャン要求コードに対し、自機が宛て先になっているか否かを宛て先のＩＤに基づき調べ、宛て先になっていれば、管理グループ用データチャネルｆａの受信モードから管理グループ用データチャネルｆａの送信モードへ切替わり、管理グループ用データチャネルｆａにより受信した旨のコード、例えば、受信したチャネルスキャン要求コードを送信する。そして、チャネルスキャン要求コードの送信が終了しだい、管理グループ用データチャネルｆａと被管理グループ用通話チャネルｆｂ，ｆｃ，ｆｄを順番にかつサイクリックに繰り返すチャネルスキャンｆａ→ｆｂ→ｆｃ→ｆｄ→ｆａ→ｆｂ→・・・を実施する。
【００３３】
ここで、該子機Ｔａにおけるチャネルスキャン対象のチャネルには、被管理グループ用通話チャネルｆｂ〜ｆｄと共に管理グループ用データチャネルｆａが含まれていることに注意されたい。これにより、子機Ｔａは、ｆｂ〜ｆｄをスキャンして、被管理グループの無線機Ｔａ〜Ｔｄからの呼出しを監視しつつ、後述するように、ｆａを介してチャネルスキャン解除要求を支障なく受信することができる。
【００３４】
親機Ｔｐは、子機Ｔａから、該子機Ｔａがチャネルスキャンを開始したことを意味するチャネルスキャン要求コードを受信すると、管理グループ用データチャネルｆａの受信モードからチャネルスキャン用データチャネルｆｃｏｎｔの送信モードへ切替わり、チャネルスキャン用データチャネルｆｃｏｎｔによりチャネルスキャン要求コードを送信する。親機Ｔｐから送信されるチャネルスキャン用データチャネルｆｃｏｎｔのチャネルスキャン要求コードは子機Ｔａがチャネルスキャン開始した旨を意味する。
【００３５】
無線機Ｔｂは、チャネルスキャン用データチャネルｆｃｏｎｔによりチャネルスキャン要求コードを受信すると、チャネルスキャン用データチャネルｆｃｏｎｔの受信モードから被管理グループ用通話チャネルｆｂの送信モードへ切り替わり、被管理グループ用通話チャネルｆｂにより子機Ｔａの呼出しを行う。この時は、子機Ｔａはチャネルスキャン実施中であるので、子機Ｔａは、無線機Ｔｂからの被管理グループ用通話チャネルｆｂによる呼出しを検知し、無線機Ｔｂへ応答する。
【００３６】
この複数管理者型無線通信システム１０では、子機Ｔａは、手動又は設定でチャネルスキャンが解除されないと、通話終了後、チャネルスキャンが再開されることになっている。チャネルスキャンの継続は子機Ｔａの電力消費量を増大させるので、速やかにチャネルスキャンを解除することが好ましい。そこで、この複数管理者型無線通信システム１０では、無線機Ｔｂからチャネルスキャン用データチャネルｆｃｏｎｔによりチャネルスキャン解除要求が送られる。該チャネルスキャン解除要求は、無線機Ｔｂにおける子機Ｔａとの通話が終了しだい、自動的に行われてもよいし、無線機Ｔｂのユーザが手動で送るようにしてもよい。
【００３７】
無線機Ｔｂから子機Ｔａへのチャネルスキャン解除要求コードの伝達経路は、チャネルスキャン要求の場合と同様に、チャネルスキャン用データチャネルｆｃｏｎｔ及び管理グループ用データチャネルｆａを利用する親機Ｔｐ経由となる。親機Ｔｐは、チャネルスキャン解除要求コードとチャネルスキャン解除要求先の子機ＴａのＩＤとをチャネルスキャン用データチャネルｆｃｏｎｔにより受信すると、チャネルスキャン用データチャネルｆｃｏｎｔの受信モードから管理グループ用データチャネルｆａの送信モードへ切替わり、該ＩＤを宛て先としてチャネルスキャン解除要求コードを管理グループ用データチャネルｆａにより送信する。
【００３８】
子機Ｔａは、通話終了している場合には、チャネルスキャン解除要求コードを管理グループ用データチャネルｆａにより受信しだい、チャネルスキャンを終了するとともに、親機Ｔｐへ管理グループ用データチャネルｆａによりチャネルスキャン解除要求コードを返し、さらに、親機Ｔｐから無線機Ｔｂへチャネルスキャン用データチャネルｆｃｏｎｔによりチャネルスキャン解除要求コードが送信され、無線機Ｔｂは、子機Ｔａがチャネルスキャンを解除したことを認知する。
【００３９】
子機Ｔａは、無線機Ｔｂから親機Ｔｐ経由でチャネルスキャン解除要求を受信する前に、他の無線機Ｔｂや他の被管理グループの無線機Ｔｃ，Ｔｄと通話開始してしまい、親機Ｔｐからのチャネルスキャン解除要求コード送信時に通話中であることがある。このような場合には、子機Ｔａから親機Ｔｐへ管理グループ用データチャネルｆａによるチャネルスキャン解除要求コードの返しはなく、結果、無線機Ｔｂも子機Ｔａがチャネルスキャンを解除したことを通知されない。親機Ｔｐは、子機Ｔａからのチャネルスキャン解除要求コードを管理グループ用データチャネルｆａにより所定時間内に受信しない場合には、例えば、一旦、チャネルスキャン用データチャネルｆｃｏｎｔの受信モードへ切替わり、他の被管理グループ用無線機からの別の子機Ｔａへのチャネルスキャン要求やチャネルスキャン解除要求を監視する。そして、別の所定時間経過後に管理グループ用データチャネルｆａの送信モードへ自動的に切替わり、管理グループ用データチャネルｆａによりチャネルスキャン解除要求コードを再送する。
【００４０】
図２は管理グループに所属する無線機Ｔａが唯一である場合の単一管理者型無線通信システム３０における呼出し処理の説明図である。なお、図１の複数管理者型無線通信システム１０も、無線機Ｔａが最初から唯一である場合や他の無線機Ｔａが抜けたために途中から唯一になってしまった場合に適用可能である。単一管理者型無線通信システム３０の各要素等について、複数管理者型無線通信システム１０の要素等と同一のものは、複数管理者型無線通信システム１０の要素等に付した符号と同一のものを付して、説明は省略する。
【００４１】
単一管理者型無線通信システム３０では、複数管理者型無線通信システム１０の親機Ｔｐが省略されている。図２では、親機Ｔｐが存在しないので、Ｔａを「子機」と呼ばず、単に、「無線機」と呼ぶことにする。該無線機Ｔａは、管理グループ用データチャネルｆａをメモリに登録されず、チャネルスキャン用データチャネルｆｃｏｎｔをプライオリティチャネルに設定される。プライオリティチャネルとは、定期的に（例えば３秒に１回）、該チャネルがビジー（所定電界強度以上の電波有り）になっていないかをチェックする対象になっているチャネルである。プライオリティチャネルに設定されたチャネルは、該チャネルを介して電波が送られてくると、直ちにそれを受信することができる。説明の便宜上、無線機Ｔａに対して無線機Ｔｂ，Ｔｃ，Ｔｄの順番にチャネルスキャン要求が発することを想定する。順番が他の場合も同様である。
【００４２】
単一管理者型無線通信システム３０では、管理グループＡの無線機Ｔａには、管理グループ用データチャネルｆａの設定が省略される。なぜなら、管理グループＡには、無線機Ｔａしかなく、無線機Ｔａは、管理グループＡの他の管理グループ用無線機と通話する必要がないからである。無線機Ｔａは、そのメモリに被管理グループ用通話チャネルｆｂ，ｆｃ，ｆｄを各被管理グループのＩＤに対応付けて記憶しているものの、初期段階では、チャネルスキャン対象の被管理グループ用通話チャネルが未登録となっている。
【００４３】
前述の複数管理者型無線通信システム１０では、無線機Ｔｂは、無線機Ｔａが無線機Ｔｂからの呼出しに応じなかったら、被管理グループ用通話チャネルｆｂの送信モードからチャネルスキャン用データチャネルｆｃｏｎｔの送信モードへ切替えて、チャネルスキャン要求をチャネルスキャン用データチャネルｆｃｏｎｔにより送信していたが、単一管理者型無線通信システム３０では、無線機Ｔｂは、無線機Ｔａにおけるチャネルスキャン対象への被管理グループ用通話チャネルｆｂの登録追加のために、試しに被管理グループ用通話チャネルｆｂにより呼出したりせず、直ちに、チャネルスキャン要求を意味するチャネルスキャン要求コードとチャネルスキャン登録要求グループとして被管理グループＢのＩＤをチャネルスキャン用データチャネルｆｃｏｎｔにより送信する。
【００４４】
無線機Ｔａでは、チャネルスキャン用データチャネルｆｃｏｎｔはプライオリティチャネルに設定されているので、無線機Ｔａは、チャネルスキャン用データチャネルｆｃｏｎｔによりチャネルスキャン要求コードを受信し、チャネルスキャン用データチャネルｆｃｏｎｔの受信モードからチャネルスキャン用データチャネルｆｃｏｎｔの送信モードへ切替わり、登録完了を意味するチャネルスキャン要求コードをチャネルスキャン用データチャネルｆｃｏｎｔにより送信する。無線機Ｔａは、その後、直ちに、被管理グループＢのＩＤに基づきメモリにおいてＩＤに対応付けられている被管理グループ用通話チャネルｆｂを見つけ出し、チャネルスキャン対象の被管理グループ用通話チャネルに該被管理グループ用通話チャネルｆｂを追加登録して、チャネルスキャンを開始する。この段階でのチャネルスキャン対象の被管理グループ用通話チャネルは、図２の管理グループＡの囲み内の左端の段階に示すように、被管理グループ用通話チャネルｆｂだけとなっている。
【００４５】
無線機Ｔａが、最初から被管理グループ用通話チャネルｆｂ〜ｆｄをチャネルスキャン対象としないで、チャネルスキャン対象チャネルとして追加登録要求を受け付けるごとに、それをチャネルスキャン対象チャネルとして１つずつ追加していく理由は、チャネルスキャン対象の被管理グループ用通話チャネルを最小限に抑えて、無線機Ｔａにおいて効率的なチャネルスキャンが行われるようにするためである。また、被管理グループ用通話チャネルｆｂがチャネルスキャン対象の被管理グループ用通話チャネルにすでに登録済みであって、チャネルスキャン対象の被管理グループ用通話チャネルに新規登録されない場合にも、無線機Ｔａは、チャネルスキャン要求と被管理グループ用通話チャネルｆｂのＩＤとをチャネルスキャン用データチャネルｆｃｏｎｔにより送信する。今回の無線機Ｔｂが、前回の無線機Ｔｂと同一の被管理グループＢの別の無線機であることがあり得るからである。
【００４６】
無線機Ｔｂから無線機Ｔａへチャネルスキャン解除要求を送信した場合には、無線機Ｔａは、チャネルスキャンを解除するともに、チャネルスキャン対象の被管理グループ用通話チャネルから被管理グループ用通話チャネルｆｂを削除するようになっていてもよい。
【００４７】
無線機Ｔｂは、チャネルスキャン要求コード及び被管理グループＢのＩＤをチャネルスキャン用データチャネルｆｃｏｎｔにより送信後、チャネルスキャン用データチャネルｆｃｏｎｔの送信モードからチャネルスキャン用データチャネルｆｃｏｎｔの受信モードへ切替えられ、チャネルスキャン用データチャネルｆｃｏｎｔでの待受け状態になっている。そして、チャネルスキャン用データチャネルｆｃｏｎｔによりチャネルスキャン要求コード及び被管理グループＢのＩＤを受信すると、無線機Ｔａに被管理グループ用通話チャネルｆｂがチャネルスキャン対象の被管理グループ用通話チャネルとして登録されたことを認識し、次に、チャネルスキャン用データチャネルｆｃｏｎｔの受信モードから被管理グループ用通話チャネルｆｂの送信モードへ切替わり、被管理グループ用通話チャネルｆｂにより無線機Ｔａに対する呼出しを行う。無線機Ｔａは、チャネルスキャンにより無線機Ｔｂからの呼出しを受け付け、これにより、無線機Ｔｂ−Ｔａ間の通話が開始される。
【００４８】
無線機Ｔｃ，Ｔｄが無線機Ｔａと通話する場合も、無線機Ｔｂの場合と同様の通信が行われ、無線機Ｔａのチャネルスキャン対象の被管理グループ用通話チャネルとして被管理グループ用通話チャネルｆｃ，ｆｄが、図２の管理グループＡの囲み内の中央及び右端の段階に示すように、順次追加されていく。
【００４９】
図３は無線通信システム５０の構成図である。無線通信システム５０は、１つの管理グループ５１と、１以上の被管理グループ５２とを含む。管理グループ５１には、１以上の管理グループ用無線機５５が所属している。各被管理グループ５２には、１以上の被管理グループ用無線機５６が所属している。チャネルスキャン仲介無線機５４は、管理グループ用データチャネル８８を管理グループ用無線機５５と共有するので、管理グループ５１に所属していると考えることもできるし、管理グループ５１及び被管理グループ５２のグループとは別個の存在であると考えることもできる。
【００５０】
無線通信システム５０の具体例は前述の複数管理者型無線通信システム１０（図１）であり、管理グループ５１の具体例は前述の管理グループＡであり、被管理グループ５２の具体例は前述の被管理グループＢ〜Ｄである。チャネルスキャン仲介無線機５４、管理グループ用無線機５５及び被管理グループ用無線機５６の具体例はそれぞれ無線機Ｔｐ、無線機Ｔａ及び無線機Ｔｂ〜Ｔｄである。管理グループ用データチャネル８８、チャネルスキャン用データチャネル８９及び被管理グループ用通話チャネル９０は、前述の複数管理者型無線通信システム１０の説明では、それぞれ管理グループ用データチャネルｆａ、チャネルスキャン用データチャネルｆｃｏｎｔ及び被管理グループ用通話チャネルｆｂに対応している。典型的には、チャネルスキャン仲介無線機５４、管理グループ用無線機５５及び被管理グループ用無線機５６は通信モードを送信モードと受信モードとの択一式としており、かつそれら無線機間の通信は半二重通信となっているが、無線通信システム５０はこれに限定されない。
【００５１】
チャネルスキャン仲介無線機５４はチャネルスキャン用データチャネル受信手段６１及び管理グループ用データチャネル送信手段６２を備えている。チャネルスキャン仲介無線機５４は、さらに、管理グループ用データチャネル受信手段６５及びチャネルスキャン用データチャネル送信手段６６を備えることができる。チャネルスキャン用データチャネル受信手段６１は、管理グループ用データチャネル８８とは別に割り当てられているチャネルスキャン用データチャネル８９により被管理グループ用無線機５６からの管理グループ５１の所定の管理グループ用無線機５５に対するチャネルスキャン要求９３を受信する。管理グループ用データチャネル送信手段６２は、チャネルスキャン要求９３を受信すると、管理グループ用データチャネル８８により管理グループ用無線機５５へチャネルスキャン要求９３を送信する。
【００５２】
管理グループ用データチャネル受信手段６５は、管理グループ用無線機５５へのチャネルスキャン要求９３の送信後、管理グループ用データチャネル８８により該管理グループ用無線機５５からのチャネルスキャン開始情報９４を受信する。チャネルスキャン用データチャネル送信手段６６は、チャネルスキャン開始情報９４を受信すると、チャネルスキャン用データチャネル８９によりチャネルスキャン開始情報９４を送信する。これにより、被管理グループ用無線機５６は、チャネルスキャン仲介無線機５４がチャネルスキャン状態になったことを確認することができる。被管理グループ用無線機５６は、管理グループ用無線機５５がチャネルスキャン状態になったことを確認せずに、その見込みで、管理グループ用無線機５５に対して呼出しを再度試みることができる。管理グループ用データチャネル受信手段６５は、所定時間内にチャネルスキャン開始情報９４を管理グループ用無線機５５から受信しないときには、再度、管理グループ用データチャネル８８により管理グループ用無線機５５へ再度チャネルスキャン要求９３を送るようにしてもよい。
【００５３】
好ましいチャネルスキャン仲介無線機５４では、チャネルスキャン用データチャネル受信手段６１は、チャネルスキャン用データチャネル８９により被管理グループ用無線機５６から管理グループ用無線機５５に対するチャネルスキャン解除要求９５を受信する。これに対し、管理グループ用データチャネル送信手段６２は、チャネルスキャン解除要求９５を受信すると、管理グループ用データチャネル８８により管理グループ用無線機５５へチャネルスキャン解除要求９５を送信する。チャネルスキャン解除要求９５についても、チャネルスキャン要求９３と同様に、管理グループ用データチャネル受信手段６５が、管理グループ用無線機５５からのチャネルスキャン解除を行なった旨の通知としてのチャネルスキャン終了情報９６を管理グループ用データチャネル８８により受信して、チャネルスキャン用データチャネル送信手段６６が、さらに、チャネルスキャン用データチャネル８９によりチャネルスキャン終了情報９６を被管理グループ用無線機５６へ送信して、被管理グループ用無線機５６に確認させるようにしてもよい。
【００５４】
管理グループ用無線機５５は管理グループ用データチャネル受信手段７０及びチャネルスキャン制御手段７１を備えている。管理グループ用データチャネル受信手段７０は、管理グループ用データチャネル８８により自機宛てのチャネルスキャン要求９３を受信する。チャネルスキャン制御手段７１は、自機宛てのチャネルスキャン要求９３を受信すると、チャネルスキャン要求元が所属する被管理グループ５２の被管理グループ用通話チャネル９０を含むチャネルのスキャンを実施する。
【００５５】
管理グループ用無線機５５は、さらに、管理グループ用データチャネル送信手段７４を備えることができる。管理グループ用データチャネル送信手段７４は、自機宛てのチャネルスキャン要求９３を受信すると、チャネルスキャン開始情報９４を管理グループ用データチャネル８８により送信する。該チャネルスキャン開始情報９４は、チャネルスキャン仲介無線機５４を経由して、チャネルスキャン要求元の被管理グループ用無線機５６へ送られ、被管理グループ用無線機５６におけるチャネルスキャンの確認に利用される。
【００５６】
好ましい管理グループ用無線機５５では、管理グループ用データチャネル受信手段７０は、管理グループ用データチャネル８８により自機宛てのチャネルスキャン解除要求９５を受信する。管理グループ用無線機５５におけるチャネルスキャンでは、前述の図１の子機Ｔａにおけるチャネルスキャンのｆａ→ｆｂ→ｆｃ→ｆｄ→ｆａ→ｆｂ→・・と同様に、チャネルスキャン対象の中に被管理グループ用通話チャネル９０だけでなく、管理グループ用データチャネル８８を含めることができるので、管理グループ用無線機５５は、それがチャネルスキャンを実施していれば、自機宛てのチャネルスキャン解除要求９５を支障なく受信することができる。
【００５７】
チャネルスキャン制御手段７１は、自機宛てのチャネルスキャン解除要求９５を受信すると、被管理グループ５２の被管理グループ用通話チャネル９０のチャネルスキャンを終了する。さらに、チャネルスキャン開始情報９４の場合と同様に、管理グループ用データチャネル送信手段７４は、チャネルスキャン終了情報９６を管理グループ用データチャネル８８により送信してもよい。
【００５８】
被管理グループ用無線機５６はチャネルスキャン要求手段７９及び呼出し手段８０を備えている。チャネルスキャン要求手段７９は、チャネルスキャン用データチャネル８９により通話相手先の管理グループ用無線機５５のチャネルスキャンを要求する。呼出し手段８０は、該管理グループ用無線機５５のチャネルスキャンを要求した後、自機グループの被管理グループ用通話チャネル９０により管理グループ用無線機５５を呼出す。なお、呼出し手段８０は、該管理グループ用無線機５５のチャネルスキャンを要求した後であれば、後述のように、チャネルスキャン開始情報９４の受信を待ってから、自機グループの被管理グループ用通話チャネル９０により管理グループ用無線機５５を呼出してもよいが、チャネルスキャン開始情報９４の受信を待つことなく、適当な時間の経過後、管理グループ用無線機５５におけるチャネルスキャン開始を見込んで、管理グループ用無線機５５の呼出しを開始することもできる。
【００５９】
典型的な被管理グループ用無線機５６では、呼出し手段８０は、チャネルスキャン要求手段７９によるチャネルスキャンの要求に先立ち、被管理グループ用通話チャネル９０により管理グループ用無線機５５を呼出す。そして、チャネルスキャン要求手段７９は、管理グループ用無線機５５が自機グループの被管理グループ用通話チャネルにおける呼出しに応答しない場合には、チャネルスキャンを要求する。しかしながら、被管理グループ用無線機５６では、呼出し手段８０による管理グループ用無線機５５の呼出しの成否を調べることなく、直ちに、チャネルスキャン要求手段７９によるチャネルスキャン要求を実施するようにしてもよい。
【００６０】
好ましくは、呼出し手段８０は、管理グループ用無線機５５のチャネルスキャンを要求した後、チャネルスキャン用データチャネル８９によりチャネルスキャン開始情報９４を受信してから、被管理グループ用通話チャネル９０により管理グループ用無線機５５を呼出す。被管理グループ用無線機５６はチャネルスキャン解除要求手段８３を備えることができる。チャネルスキャン解除要求手段８３は、管理グループ用無線機５５との通話が終了すると、チャネルスキャン用データチャネル８９によりチャネルスキャン解除要求９５を送信する。この後、被管理グループ用無線機５６は、チャネルスキャン仲介無線機５４からチャネルスキャン用データチャネル８９によりチャネルスキャン終了情報９６を受信して、チャネルスキャン解除要求を確認することができる。チャネルスキャン解除要求手段８３は、所定時間内にチャネルスキャン終了情報９６の受信がない場合には、再度、チャネルスキャン用データチャネル８９によりチャネルスキャン解除要求９５を送信することができる。
【００６１】
図４は無線通信システム１００の構成図である。無線通信システム１００において、無線通信システム５０の要素等と同一の要素等については、無線通信システム５０の要素と同一の符号を付して、説明は省略する。無線通信システム１００の具体例は単一管理者型無線通信システム３０（図２）である。管理グループ５１には、管理グループ用無線機１０１が唯一所属する。各被管理グループ５２には、複数の被管理グループ用無線機１０２が所属している。
【００６２】
管理グループ用無線機１０１はチャネルスキャン用データチャネル受信手段１１１及びチャネルスキャン制御手段１１２を備えている。チャネルスキャン用データチャネル受信手段１１１は、定期的に受信を監視するように設定されているチャネルスキャン用データチャネル８９により被管理グループ用無線機からチャネルスキャン要求９３を受信する。チャネルスキャン制御手段１１２は、チャネルスキャン要求９３を受信すると、チャネルスキャン要求元のグループに係る被管理グループ用通話チャネル９０を含む被管理グループ用通話チャネルのスキャンを実施する。チャネルスキャン用データチャネル８９についてのチャネルスキャン用データチャネル受信手段１１１における定期的な受信監視は、具体的には、前述の単一管理者型無線通信システム３０の無線機Ｔａにおいてプライオリティチャネルに設定することにより実現可能となる。
【００６３】
好ましくは、チャネルスキャン用データチャネル受信手段１１１は、チャネルスキャン要求９３と共にチャネルスキャン要求元の所属グループのＩＤ情報９８を受信する。また、チャネルスキャン制御手段１１２は、受信したＩＤ情報９８に対応する被管理グループ用通話チャネル９０を登録し、登録済みの被管理グループ用通話チャネルについてチャネルスキャンを実施する。
【００６４】
管理グループ用無線機１０１はさらにチャネルスキャン用データチャネル送信手段１１４を備える。チャネルスキャン用データチャネル送信手段１１４は、チャネルスキャン用データチャネル受信手段１１１におけるチャネルスキャン要求９３の受信後、チャネルスキャン開始情報９４をチャネルスキャン用データチャネル８９により送信する。チャネルスキャン開始情報９４として、チャネルスキャン用データチャネル受信手段１１１が被管理グループ用無線機１０２から受信したＩＤ情報９８を使用することができる。被管理グループ用無線機１０２は、ＩＤ情報９８がチャネルスキャン用データチャネル８９により送信されてくると、自機グループの被管理グループ用通話チャネル９０が管理グループ用無線機１０１に登録済みとなったことを認知する。
【００６５】
被管理グループ用無線機１０２は、チャネルスキャン要求手段１２１、チャネルスキャン開始情報受信手段１２２及びチャネルスキャン解除要求手段１２３を備えている。チャネルスキャン要求手段１２１は、チャネルスキャン用データチャネル８９により通話相手先の管理グループ用無線機１０１のチャネルスキャンの要求と自機グループのＩＤ情報９８とを送信する。チャネルスキャン開始情報受信手段１２２は、チャネルスキャン要求９３とＩＤ情報９８とを送信した後、チャネルスキャン用データチャネル８９により自機グループの被管理グループ用通話チャネル９０が管理グループ用無線機１０１のチャネルスキャン対象の被管理グループ用通話チャネルとして登録されてチャネルスキャン開始した旨のチャネルスキャン開始情報９４を受信する。チャネルスキャン解除要求手段１２３は、チャネルスキャン開始情報９４の受信後、自機グループの被管理グループ用通話チャネル９０により管理グループ用無線機１０１を呼出す。好ましくは、チャネルスキャン開始情報９４はＩＤ情報９８である。
【００６６】
図５は無線通信システム制御方法１３０のフローチャートである。無線通信システム制御方法１３０は無線通信システム５０（図３）に対応している。Ｓ１３１では、被管理グループ用無線機５６が該被管理グループ用無線機５６のグループの被管理グループ用通話チャネル９０により所定の管理グループ用無線機５５を呼出して該管理グループ用無線機５５が応答するか否かの応答判定を実施する。Ｓ１３２では、Ｓ１３１の判定結果が否であるならば、管理グループ用データチャネル８８とは別に割り当てられているチャネルスキャン用データチャネル８９により被管理グループ用無線機５６に管理グループ用無線機５５に対するチャネルスキャン要求９３を送信させる。
【００６７】
Ｓ１３３では、チャネルスキャン仲介無線機５４をチャネルスキャン用データチャネル８９の待受け状態に保持してチャネルスキャン仲介無線機５４に管理グループ用無線機５５に対するチャネルスキャン要求９３を受信させる。Ｓ１３４では、チャネルスキャン仲介無線機５４がチャネルスキャン要求９３を受信すると、管理グループ用データチャネルによりチャネルスキャン仲介無線機５４に管理グループ用無線機５５に対するチャネルスキャン要求９３を送信させる。
【００６８】
Ｓ１３５では、管理グループ用無線機５５を管理グループ用データチャネルの待受け状態に保持して、管理グループ用無線機５５に自機に対するチャネルスキャン要求９３を受信させる。Ｓ１３６では、管理グループ用無線機５５が自機に対するチャネルスキャン要求９３を受信したならば、管理グループ用無線機５５に、被管理グループ用通話チャネル９０についてのチャネルスキャンを実施させる。
【００６９】
無線通信システム制御方法１３０においても、無線通信システム５０のチャネルスキャン開始情報９４、チャネルスキャン解除要求９５及びチャネルスキャン終了情報９６の処理に対応させて、それらに対応するステップをＳ１３５以降に適宜追加することができる。
【００７０】
図６は無線通信システム制御方法１４０のフローチャートである。無線通信システム制御方法１４０は無線通信システム１００（図４）に対応している。無線通信システム制御方法１４０では、管理グループ５１に所属する管理グループ用無線機５５は唯一である。Ｓ１４１では、被管理グループ用無線機１０２が該被管理グループ用無線機１０２のグループの被管理グループ用通話チャネル９０により管理グループ用無線機１０１を呼出して該管理グループ用無線機１０１が応答するか否かの応答判定を実施する。
【００７１】
Ｓ１４１の判定が否であるならば、Ｓ１４２へ進み、チャネルスキャン用データチャネル８９により被管理グループ用無線機１０２にチャネルスキャン要求９３を送信させる。Ｓ１４３では、チャネルスキャン用データチャネル８９が定期的に信号の有無を監視するチャネルとして予め設定されている管理グループ用無線機１０１に、チャネルスキャン要求９３を受信させる。Ｓ１４４では、管理グループ用無線機１０１がチャネルスキャン用データチャネル８９によりチャネルスキャン要求９３を受信したならば、管理グループ用無線機１０１に、被管理グループ用通話チャネル９０についてのチャネルスキャンを実施させる。
【００７２】
無線通信システム制御方法１４０においても、無線通信システム１００のチャネルスキャン開始情報９４、チャネルスキャン解除要求９５及びチャネルスキャン終了情報９６の処理に対応させて、それらに対応するステップをＳ１４４以降に適宜追加することができる。
【００７３】
本明細書は様々な発明を開示している。それら発明は、発明の最良の形態の項で説明した各装置及び各方法だけでなく、各装置及び各方法から独立の作用、効果を奏する１つ又は複数の要素を抽出したものや、１つ又は複数の要素を自明の範囲で変更したものや、さらに、各装置間及び各方法間で１つ又は複数の要素の組合せを入れ換えたものを含む。
【図面の簡単な説明】
【００７４】
【図１】複数管理者型無線通信システムにおける呼出し処理の説明図である。
【図２】管理グループに所属する無線機が唯一である場合の単一管理者型無線通信システムにおける呼出し処理の説明図である。
【図３】無線通信システムの構成図である。
【図４】無線通信システムの構成図である。
【図５】無線通信システム制御方法のフローチャートである。
【図６】別の無線通信システム制御方法のフローチャートである。
【図７】従来の無線通信システムにおける呼出し処理の説明図である。
【符号の説明】
【００７５】
５０：無線通信システム、５１：管理グループ、５２：被管理グループ、５４：チャネルスキャン仲介無線機、５５：管理グループ用無線機、５６：被管理グループ用無線機、６１：チャネルスキャン用データチャネル受信手段、６２：管理グループ用データチャネル送信手段、６５：管理グループ用データチャネル受信手段、６６：チャネルスキャン用データチャネル送信手段、７０：管理グループ用データチャネル受信手段、７１：チャネルスキャン制御手段、７４：管理グループ用データチャネル送信手段、７９：チャネルスキャン要求手段、８０：呼出し手段、８３：チャネルスキャン解除要求手段、８８：管理グループ用データチャネル、８９：チャネルスキャン用データチャネル、９０：被管理グループ用通話チャネル、９３：チャネルスキャン要求、９４：チャネルスキャン開始情報、９５：チャネルスキャン解除要求、９６：チャネルスキャン終了情報、９８：ＩＤ情報、１００：無線通信システム、１０１：管理グループ用無線機、１０２：被管理グループ用無線機、１１１：チャネルスキャン用データチャネル受信手段、１１２：チャネルスキャン制御手段、１１４：チャネルスキャン用データチャネル送信手段、１２１：チャネルスキャン要求手段、１２２：チャネルスキャン開始情報受信手段、１２３：チャネルスキャン解除要求手段、１３０：無線通信システム制御方法、１４０：無線通信システム制御方法。
【図１】
2009130515.tif 000003
【図２】
2009130515.tif 000004
【図３】
2009130515.tif 000005
【図４】
2009130515.tif 000006
【図５】
2009130515.tif 000007
【図６】
2009130515.tif 000008
【図７】
2009130515.tif 000009